(57)【要約】【課題】レンズ鏡筒を構成する部材同士を固着する場合において、部材同士を素早く所定の精度で位置決めし、かつ失敗無く固着することが可能な構成を提供する。【解決手段】本発明は、保持枠部と開口部を有する第１の部材とを位置決めして保持する第２の部材を具備するレンズ鏡筒において、第１の部材に複数配設された係合爪部と、第２の部材の保持枠部の周囲に配設され、複数の係合爪部が挿入された状態で係合する複数の第１の係合孔部と、第１の係合孔部の光軸の周方向の一方側に連接され、第１の部材を第２の部材に対して光軸の周方向の一方側に回動させた場合に、複数の係合爪部が挿入された状態で係合し、かつ係合爪部を光軸の径方向に所定のはめあいで挟持する複数の第２の係合孔部と、第２の部材に対する第１の部材の光軸周りの回動を規制する回動規制部材とを具備することを特徴とする。【選択図】図６
2010271493.tif 000002
【特許請求の範囲】
【請求項１】
レンズを保持する保持枠部と、
該保持枠部の前記レンズの光軸方向のいずれか一方に配設され、前記レンズの光軸が通過する開口部を有する第１の部材と、
前記保持枠部を保持し、かつ前記第１の部材を前記保持枠部に対して位置決めして保持する第２の部材と、を具備するレンズ鏡筒において、
前記第１の部材の前記開口部の周囲に前記光軸の周方向に複数配設され、前記第２の部材側に延出する係合爪部と、
前記第２の部材の前記保持枠部の周囲に、前記複数の係合爪部に対応した位置に配設され、前記複数の係合爪部が挿入された状態で係合する複数の第１の係合孔部と、
前記第１の係合孔部の前記光軸の周方向の一方側に連接され、前記第１の係合孔部よりも径方向に狭く、前記第１の部材を前記第２の部材に対して前記光軸の周方向の一方側に回動させた場合に前記複数の係合爪部が挿入された状態で係合し、かつ前記係合爪部を前記光軸の径方向に所定のはめあいで挟持する複数の第２の係合孔部と、
前記第１の部材から前記光軸を中心として前記第２の部材側に突出する第１の円筒形状部と、
前記第２の部材から前記光軸を中心として前記第１の部材側に突出し、前記第１の円筒形状部と嵌合する第２の円筒形状部と、
前記第１の部材から前記光軸を中心として前記第２の部材側に突出する回転止めボス部と、
前記第２の部材に設けられ、前記複数の係合爪部が前記複数の第２の係合孔部に係合した状態で、前記回転止めボス部と嵌合して、前記第２の部材に対する前記第１の部材の前記光軸周りの回動を規制するボス挿入孔と
を具備することを特徴とするレンズ鏡筒。
【請求項２】
前記第１の部材の開口部は、固定絞りであることを特徴とする請求項１に記載のレンズ鏡筒。
【請求項３】
前記第１の部材は、レンズを保持するレンズ保持部材であることを特徴とする請求項１に記載のレンズ鏡筒。
【発明の詳細な説明】
【技術分野】
【０００１】
本発明は、異なる部材同士を光軸方向に固着する構成を有するレンズ鏡筒に関する。
【背景技術】
【０００２】
レンズ等の光学部材を保持するレンズ鏡筒内には、例えば、特開２００８−４６５０１号公報に開示されているように、所定の直径の開口を有する固定絞りが配設されるものがある。
【０００３】
固定絞りは、開口の形状や位置決めに所定の精度が必要とされるため、レンズ鏡筒を構成する枠部材とは別体で形成された後に、接着剤により枠部材に固着される。また、別体で形成された枠部材同士を固着する場合も、接着剤が用いられる。
【先行技術文献】
【特許文献】
【０００４】
【特許文献１】特開２００８−４６５０１号公報
【発明の概要】
【発明が解決しようとする課題】
【０００５】
しかしながら、枠部材に、接着剤によって固定絞りや枠部材等の別部材を位置決めして固着する場合、接着剤が硬化するまでの待ち時間が必要である。このような待ち時間は、製品の製造のコスト増加を招く他に、この硬化までの間に部材の位置がずれてしまい、所望の位置決め精度で固着できないという不良の原因ともなる。
【０００６】
本発明は、上記問題点に鑑みてなされたものであり、レンズ鏡筒を構成する部材同士を固着する場合において、部材同士を素早く所定の精度で位置決めし、かつ失敗無く固着することが可能な構成を提供することを目的とする。
【課題を解決するための手段】
【０００７】
本発明のレンズ鏡筒は、レンズを保持する保持枠部と、該保持枠部の前記レンズの光軸方向のいずれか一方に配設され、前記レンズの光軸が通過する開口部を有する第１の部材と、前記保持枠部を保持し、かつ前記第１の部材を前記保持枠部に対して位置決めして保持する第２の部材と、を具備するレンズ鏡筒において、前記第１の部材の前記開口部の周囲に前記光軸の周方向に複数配設され、前記第２の部材側に延出する係合爪部と、前記第２の部材の前記保持枠部の周囲に、前記複数の係合爪部に対応した位置に配設され、前記複数の係合爪部が挿入された状態で係合する複数の第１の係合孔部と、前記第１の係合孔部の前記光軸の周方向の一方側に連接され、前記第１の係合孔部よりも径方向に狭く、前記第１の部材を前記第２の部材に対して前記光軸の周方向の一方側に回動させた場合に前記複数の係合爪部が挿入された状態で係合し、かつ前記係合爪部を前記光軸の径方向に所定のはめあいで挟持する複数の第２の係合孔部と、前記第１の部材から前記光軸を中心として前記第２の部材側に突出する第１の円筒形状部と、前記第２の部材から前記光軸を中心として前記第１の部材側に突出し、前記第１の円筒形状部と嵌合する第２の円筒形状部と、前記第１の部材から前記光軸を中心として前記第２の部材側に突出する回転止めボス部と、前記第２の部材に設けられ、前記複数の係合爪部が前記複数の第２の係合孔部に係合した状態で、前記回転止めボス部と嵌合して、前記第２の部材に対する前記第１の部材の前記光軸周りの回動を規制するボス挿入孔とを具備することを特徴とする。
【発明の効果】
【０００８】
本発明によれば、レンズ鏡筒を構成する部材同士を固着する場合において、部材同士を素早く所定の精度で位置決めし、かつ失敗無く固着することが可能な構成を提供することができる。
【図面の簡単な説明】
【０００９】
【図１】レンズ鏡筒の沈胴状態におけるレンズ光軸を含む縦断面図である。
【図２】レンズ鏡筒の撮影可能なワイド状態におけるレンズ光軸を含む縦断面図である。
【図３】レンズ鏡筒の撮影可能なテレ状態におけるレンズ光軸を含む縦断面図で
【図４】レンズ鏡筒の一部を示す分解斜視図である。
【図５】図４のレンズ鏡筒の他の一部を示す分解斜視図である。
【図６】レンズ鏡筒における３群枠とシャッタ・絞りユニットの分解斜視図である。
【図７】撮像ユニットの正面図である。
【図８】３群枠の正面図である。
【図９】固定絞りの背面図である。
【図１０】図８のX-X断面図である。
【図１１】３群枠に固定絞りを固着した状態の断面図である。
【図１２】第１係合孔部と係合爪部との関係を説明するための図である。
【図１３】第２係合孔部と係合爪部との関係を説明するための図である。
【発明を実施するための形態】
【００１０】
以下に、本発明の好ましい形態について図面を参照して説明する。なお、以下の説明に用いる各図においては、各構成要素を図面上で認識可能な程度の大きさとするため、各構成要素毎に縮尺を異ならせてあるものであり、本発明は、これらの図に記載された構成要素の数量、構成要素の形状、構成要素の大きさの比率、及び各構成要素の相対的な位置関係のみに限定されるものではない。
【００１１】
本実施形態のレンズ鏡筒１は、図１から図３に示すように、正屈折力をもつ１群レンズ２１、負屈折力をもつ２群レンズ２２、正屈折力をもつ３群レンズ２３及び正屈折力をもつ４群レンズ２４からなる４群構成の撮影光学系を保持するものであって、非撮影状態において撮影光学系を保持する枠部材が繰り込まれる沈胴可能なレンズ鏡筒である。レンズ鏡筒１は、シャッタ・絞りユニット８を内蔵している。
【００１２】
また本実施形態では一例として、レンズ鏡筒１は、撮像素子９６を撮影光学系の結像面上に保持する撮像ユニット９０と一体に構成されている。撮像ユニット９０は、撮像素子９６を、撮影光学系の光軸と直交する平面上において移動可能に支持する、いわゆる像ブレ補正機構を有する。
【００１３】
以下の説明において、撮影光学系の撮影レンズ光軸を「Ｏ」で示す。該光軸Ｏに沿う方向（以下、光軸Ｏ方向と称する）のうち、被写体側方向を前方とし、結像側方向を後方とする。また、光軸Ｏに直交する方向であって、前面側から見て左右方向をＸ方向とし、特に右方向を＋Ｘ側とする。光軸Ｏに直交する方向であって、上下方向をＹ方向とし、特に上方向を＋Ｙ側とする。光軸Ｏと直交する平面をＸＹ平面とする。
【００１４】
レンズ鏡筒１は、詳しくは後述するが、１群レンズ２１、２群レンズ２２、３群レンズ２３及び４群レンズ２４をそれぞれ保持し移動可能な枠部材である、１群枠４、２群枠６、３群枠７及び４群枠１２を具備してなる。１群枠４、２群枠６、３群枠７及び４群枠１２は、固定枠１３に対して光軸Ｏ方向に相対的に移動可能である。
【００１５】
レンズ鏡筒１は、沈胴状態にあるとき、図１に示すように枠部材が後述する固定枠１３側に繰り込まれ、１群レンズ２１、２群レンズ２２、３群レンズ２３及び４群レンズ２４が互いに接近し、光軸Ｏ方向の全長が短縮された状態となる。一方、レンズ鏡筒１が撮影可能なズームワイド状態及びズームテレ状態にあるときは、図２及び図３に示すように枠部材が固定枠１３から光軸Ｏ方向前方に繰り出される。
【００１６】
以下に、レンズ鏡筒１の構成を説明する。レンズ鏡筒１は、図４及び図５に示すように、バリア装置３、１群枠４、２群枠６、カム枠５、３群枠７、シャッタ・絞りユニット８、フロートキー９、移動枠１０、回転枠１１、４群枠１２、固定枠１３、ズーム駆動ユニット５０、フォーカス駆動ユニット６０、及び撮像ユニット９０により主に構成されている。
【００１７】
バリア装置３は、撮影光学系の前側に配置され、該撮影光学系の光路上に配設された開口部を移動可能な遮蔽部材によって開閉することにより、撮影光学系を保護するものである。カム枠５は、光軸Ｏ周りに回転することによって１群枠４及び２群枠６を光軸Ｏ方向に進退駆動させるためのものである。フロートキー９は、１群枠４及び２群枠６の光軸Ｏ周りの回転を規制するためのものである。移動枠１０は、カム枠５を光軸Ｏ方向に進退駆動し、また三群枠７及びフロートキー９の光軸Ｏ周りの回転を規制するためのものである。回転枠１１は、光軸Ｏ周りに回転することによってカム枠５を回転駆動し、３群枠７を光軸Ｏ方向に進退移動させるためのものである。
【００１８】
固定枠１３は、光軸Ｏに対して位置が固定された部材であって、回転枠１１を光軸Ｏ周りに回転移動及び進退移動可能に支持し、さらに移動枠１０の光軸Ｏ周りの回転を規制するためのものである。ズーム駆動ユニット５０は、回転枠１１を光軸Ｏ周りに回転駆動するためのものである。フォーカス駆動ユニット６０は、４群枠１２を光軸Ｏ方向に進退駆動するためのものである。撮像ユニット９０は、撮像素子９６を保持し、該撮像素子９６を光軸Ｏと直交する平面上で変位駆動するためのものである。
【００１９】
以下に、レンズ鏡筒１を構成する各部材の詳細な構成を説明する。
【００２０】
固定枠１３は、円筒形状部を有する枠部材であり、内周部に各部材を収容し、背面部に撮像ユニット９０の基台部１４が固着される。固定枠１３の円筒形状部の内周部には、光軸Ｏ方向に対して斜行する回転枠用カム溝１３ａと、光軸Ｏ方向に沿った移動枠用直進ガイド溝１３ｃおよび４群枠用直進ガイド溝１３ｂと、後述するロングギヤ５４が収納されるギヤ収納凹部１３ｄとが設けられている。
【００２１】
また、固定枠１３の円筒形状部の外周部右側には、ズーム駆動ユニット５０が配設されており、円筒形状部の外周部左上には、フォーカス駆動ユニット６０が配設されている。固定枠１３の前面部には遮光リング３５が固着されている。
【００２２】
回転枠１１は、略円筒形状の枠部材であり、後端部外周が固定枠１３の内周部に回転進退可能な状態で嵌入する。回転枠１１の後端部外周には、カムフォロア１１ｂが配設されている。カムフォロア１１ｂは、固定枠１３のカム溝１３ａに摺動可能に嵌入する。
【００２３】
また、回転枠１１の後端部外周の所定の範囲にはロングギヤ５４に噛合するギヤ部１１ａが設けられている。回転枠１１の内周部には光軸Ｏ方向に対して斜行する３群枠用カム溝１１ｃと、カム枠用直進溝１１ｄとが設けられている。
【００２４】
回転枠１１は、ズーム駆動ユニット５０によって駆動されるロングギヤ５４の回転によって光軸Ｏ周りに回転駆動される。回転枠１１は、カムフォロア１１ｂと固定枠１３のカム溝１３ａとの係合によって、光軸Ｏ周りの回転に伴い光軸Ｏ方向進退移動する。なお、回転枠１１の前面外周部には遮光リング３４および飾り環３３が装着されている。
【００２５】
移動枠１０は、円筒形状部を有する枠部材であり、該円筒形状部が回転枠１１の内周部に嵌入する。移動枠１０の円筒形状部の後端部には、回転枠１１に対してバヨネット結合するフランジ部１０ａが設けられている。また、移動枠１０の後端部外周には、回転枠１１よりも径方向外側に突出し、固定枠１３の直進ガイド溝１３ｃと係合するガイドピン１０ｂが設けられている。
【００２６】
移動枠１０は、回転枠１１に対して光軸Ｏ方向には共に進退し、かつ、光軸Ｏ周りに相対回転可能に回転枠１１によって支持されている。そして、移動枠１０は、移動枠１０は、ガイドピン１０ｂと固定枠１３の直進ガイド溝１３ｃとの係合によって光軸Ｏ周りの回転が規制された状態で回転枠１１とともに光軸Ｏ方向に進退移動する。
【００２７】
また、移動枠１０の円筒形状部には、該円筒形状部を貫通し光軸Ｏに対して斜行するカム枠用カム溝１０ｃと、円筒形状部を貫通する３群枠用直進ガイド溝１０ｅと、円筒形状部の内周部に彫設されたフロートキー用直進ガイド溝１０ｆが設けられている。
【００２８】
カム枠５は、円筒形状の枠部材であり、移動枠１０の内周部に回転進退可能な状態で嵌入する。カム枠５の後方の外周部には、径方向外側に突出するカムフォロア５ｄが設けられている。おり、該カムフォロア５ｄの中心部には、直進ガイドピン３８が外方に突出した状態で嵌入固着されている。
【００２９】
カムフォロア５ｄは、移動枠１０のカム溝１０ｃに摺動可能に嵌入し、直進ガイドピン３８は、カム溝１０ｃを挿通後、回転枠１１の直進溝１１ｄに摺動可能に嵌入する。したがって、カム枠５は、回転枠１１とともに回転しながら移動枠１０のカム溝１０ｃに沿って光軸Ｏ方向に進退移動可能に支持される。
【００３０】
また、カム枠５の内周部には、１群枠用カム溝５ａと、２群枠用カム溝５ｃが設けられている。
【００３１】
フロートキー９は、円筒形状部を有する枠部材であり、後端部にカム枠５に対してバヨネット結合するフランジ部が設けられている。フロートキー９は、カム枠５に対して光軸Ｏ方向には共に進退し、かつ、光軸Ｏ周りに相対回転可能に支持されている。
【００３２】
フロートキー９には、フランジ部から径方向外側に突出するガイド突起９ａが設けられている。フロートキー９のガイド突起９ａは、移動枠１０の直進ガイド溝１０ｆに摺動可能に嵌入する。したがって、フロートキー９は、移動枠１０により光軸Ｏ周りの回転を規制された状態のもとでカム枠５とともに光軸Ｏ方向に進退移動可能に支持される。
【００３３】
また、フロートキー９には、円筒形状部の外周部に彫設された１群枠用直進ガイド溝９ｃと、円筒形状部を貫通する２群枠用直進ガイド溝９ｂとが設けられている。
【００３４】
１群枠４は、円筒形状の枠部材であり、カム枠５の内周部に光軸Ｏ周りの回転が規制された状態で光軸Ｏ方向に進退可能に嵌入している。１群枠４は、１群レンズ２１を保持しており、外周部にカムフォロア３６が固着されている。また、１群枠４の内周部には、フロートキー９の直進ガイド溝９ｃに摺動可能に嵌入するガイド突部（図示せず）が設けられている。
【００３５】
１群枠４のカムフォロア３６は、カム枠５のカム溝５ａに摺動可能に嵌入しており、１群枠４は、フロートキー９の直進ガイド溝９ｃによって光軸Ｏ周りの回転が規制された状態でカム枠５の回転および進退に伴って光軸Ｏ方向に進退移動する。
【００３６】
１群枠４の前方には、詳しくは後述するバリア装置３が、飾り環２により覆われた状態で配設されている。バリア装置３は、一対の内側遮蔽部材１３０及び一対の外側遮蔽部材１４０からなる羽根状の遮蔽部材を有して構成されている。バリア装置３は、１群枠４の沈胴位置からの繰り出し動作に伴って遮蔽部材が退避し、１群レンズ２１の前面を開放状態となる。また、バリア装置３は、１群枠４の撮影位置からの繰り込みに伴って遮蔽部材を閉鎖位置に進入させ、１群レンズ２１の前面を閉鎖状態とする。
【００３７】
２群枠６は、円筒形状の枠部材であり、フロートキー９の内周部に光軸Ｏ周りの回転が規制された状態で光軸Ｏ方向に進退可能に嵌入している。２群枠６は、１群枠４の後方側に組み込まれる。２群枠６は、２群レンズ２２を保持しており、外周部に３つのガイド突部６ａと、ガイド突部６ａの中心から径方向外側に突出するカムフォロア３９とが設けられている。
【００３８】
ガイド突部６ａは、フロートキー９の直進ガイド溝９ｂに摺動可能に嵌入し、カムフォロア３９は、カム枠５のカム溝５ｃに摺動可能に嵌入する。したがって２群枠６は、カム枠５の回転、進退移動により光軸Ｏ周りの回転が規制された状態のもとで光軸Ｏ方向に進退移動する。
【００３９】
３群枠７は、円筒形状の枠部材であり、フロートキー９の内周部に嵌入する。３群枠７は、２群枠６の後方に、光軸Ｏ周りの回転が規制された状態で、光軸Ｏ方向に進退可能に組み込まれている。３群枠７は、３群レンズ２３を保持し、さらに背面側内周部にシャッタ・絞りユニット８を光軸Ｏ方向に相対移動可能に支持している。
【００４０】
詳しくは後述するが、３群枠７の前面側には、第１の部材である固定絞り７ａが固着されている。また、図６に示すように、３群枠７には、径方向外側に突出した腕部が周方向に等配されている。該腕部の先端部には、ガイド突部７ｂが設けられ、該ガイド突部７ｂには、ガイド突部７ｂよりも径方向外側に突出するカムフォロア４１が設けられている。
【００４１】
ガイド突部７ｂは、移動枠１０の直進ガイド溝１０ｅに摺動可能に嵌入し、カムフォロア４１は、回転枠１１のカム溝１１ｃに嵌入する。したがって３群枠７は、回転枠１１の回転に伴って光軸Ｏ周りの回転が規制された状態のもとで光軸Ｏ方向に進退移動する。
【００４２】
シャッタ・絞りユニット８は、撮影光路を開閉するためのシャッタ機能と、撮影光量の調整を行うための絞り機能を有して構成されている。シャッタ・絞りユニット８と３群枠７と間には、圧縮バネ４２が挿入されており、互いに離反する方向に付勢されている。
【００４３】
シャッタ・絞りユニット８は、上述したように３群枠７に対して光軸Ｏ方向に相対移動可能に支持されていることから、図２及び図３に示すレンズ鏡筒１の撮影可能状態では、シャッタ・絞りユニット８と３群レンズ２３とは、光軸Ｏ方向に所定距離離間する。一方、図１に示すように、レンズ鏡筒１の沈胴状態では、３群枠７と４群枠１２とが接近することによって圧縮バネ４２が圧縮され、シャッタ・絞りユニット８と３群レンズ２３とが互いに略密着する状態になる。
【００４４】
なお、本実施形態では、３群レンズ２３の後部の外径は、シャッタ・絞りユニット８を開放状態とした場合の内径よりも小さい。したがって、沈胴状態においてシャッタ・絞りユニット８を開放状態とすることにより、３群レンズ２３の後部をシャッタ・絞りユニット８内に侵入させることができる。このことにより、本実施形態では、３群レンズ２３と４群レンズ２４との間の距離を縮めることが可能となり、レンズ鏡筒１の沈胴時の光軸Ｏ方向の薄型化を図ることができる。
【００４５】
上述した２群枠６と３群枠７との間には、円錐コイルバネ１８が配設されている。円錐コイルバネ１８は、２群枠６と３群枠７とを互いに光軸Ｏ方向に離間するように付勢する。この円錐コイルバネ１８の付勢力によって、レンズ鏡筒１が撮影可能な状態にあるときの２群枠６のカムフォロア３９とカム枠５のカム溝５ｃとの嵌合ガタ、および３群枠７のカムフォロア４１と回転枠１１のカム溝１１ｃとの嵌合ガタが解消される。また、沈胴状態でも２群枠６のカムフォロア３９とカム枠５のカム溝５ｃとの嵌合ガタが解消される。
【００４６】
４群枠１２は、シャッタ・絞りユニット８の後方において４群レンズ１２を保持し、光軸Ｏ周りの回転が規制された状態で光軸Ｏ方向に進退可能に配設されている。４群枠１２は、外方に延びる二つの腕部を有している。一方の腕部にはガイド突部１２ｃが設けられ、他方の腕部にはガイド軸穴１２ａと、送リネジ挿入穴１２ｂとが設けられている。
【００４７】
ガイド軸穴１２ａには固定枠１３に支持されるガイド軸６５が摺動可能に嵌入する。また、ガイド突部１２ｃは、固定枠１３の直進ガイド溝１３ｂに摺動可能に嵌入する。したがって４群枠１２は、ガイド軸６５および直進ガイド溝１３ｂに沿って光軸Ｏ方向に進退可能に支持されている。
【００４８】
フォーカス駆動ユニット６０は、フォーカスモータ６１と、該フォーカスモータ６１によって回転駆動される送リネジ６６と、該送りネジに螺合する図示しないナットを具備して構成されている。送りネジ６６は、上述した４群枠１２の送りネジ挿入穴１２ｂ内に挿通される。
【００４９】
４群枠１２は、送リネジ挿入穴１２ｂが設けられた腕部がナットと係合することにより、フォーカスモータ６１の駆動力によって、固定枠１３に設けられたガイド軸６５及び直進ガイド溝１３ｂに沿って光軸Ｏ方向に進退移動する。
【００５０】
ズーム駆動ユニット５０は、ズームモータ５１と、ギヤ列５３と、ロングギヤ５４とを具備して構成されている。ズームモータ５１は、固定枠１３に、出力軸がＹ方向に沿うように固定されている。ズームモータ５１の出力軸には、ウォームギヤが固定されている。
【００５１】
ギヤ列５３は、ズームモータ５１のウォームギヤに噛合するウォームホイルと該ウォームホイルに噛合し、ロングギヤ５４に噛合する減速ギヤ列からなる。
【００５２】
ロングギヤ５４は、固定枠１３のギヤ収納凹部１３ｄ内に、光軸Ｏと平行な軸周りに回転可能に配設されている。ロングギヤ５４は、回転枠１１のギヤ部１１ａに噛合する。
【００５３】
ズーム駆動ユニット５０において、レンズ鏡筒１の沈胴駆動時およびズーム駆動時にズームモータ５１が回転駆動されるとロングギヤ５４を介して回転枠１１が回転駆動され、レンズ鏡筒１の繰り出し、または、繰り込みが行われる。
【００５４】
撮像ユニット９０は、固定枠１３の背面部に固定される。撮像ユニット９０は、図５及び図７に示すように、基台部１４と、基台部１４に対してＹ方向に移動可能に支持されるＹ枠１５と、Ｙ枠１５に対してＸ方向に移動可能に支持されるＸ枠１６と、Ｘ枠１６上に固着支持される撮像素子９６と、Ｘ駆動ユニット７０と、Ｙ駆動ユニット８０とからなる。
【００５５】
基台部１４は、中央開口部１４ａを有し、前方から見た概略投影形伏が光軸Ｏ中心にしてその右下の第一隅部１４ｂと、右上の第二隅部１４ｃと、左上の第三隅部１４ｄと、左下の第四隅部１４ｅとを有する略矩形形状をなす枠部材である。
【００５６】
基台部１４は、固定枠１３の背面部に固着される。また、基台部１４の中央開口部１４ａの左右両側には、それぞれＹ方向に延在する軸部材であるガイド軸９１及び９２が固定されている。
【００５７】
なお、第三隅部１４ｄは、切り欠き部を有しており、その切り欠き部に前述したフォーカス駆動ユニット６０の後端部が進入する。第四隅部１４ｅは、固定枠１３の外周に沿った状態の部材配置用逃げ部になっている。該部材配置用逃げ部は、レンズ鏡筒１が装着される上記デジタルカメラの三脚雌ネジ部を配置するための逃げ部となる。
【００５８】
Ｙ枠１５は、開口部１５ａを有する枠部材であり、基台部１４の中央開口部１４ａ内に配設される。Ｙ枠１５は、基台部１４に固定された一対のガイド軸９１及び９２によって、基台部１４に対してＹ方向にのみ移動可能に支持されている。Ｙ枠１５の開口部１５ａの上下両側には、それぞれＸ方向に延在する軸部材であるガイド軸９３及び９４が固定されている。
【００５９】
Ｘ枠１６は、開口部１６ａを有する枠部材であり、Ｙ枠１５の開口部１５ａ内に配設される。Ｘ枠１６は、Ｙ枠１５に固定された一対のガイド軸９３及び９４によって、Ｙ枠１５に対してＸ方向にのみ移動可能に支持されている。Ｘ枠９５には、撮像素子支持板９８を介してＣＣＤ、または、ＣＭＯＳ等からなる撮像素子９６が固定されている。
【００６０】
Ｘ駆動ユニット７０は、基台部１４の右上の第一隅部１４ｂの前面側に組み付けられ、固定枠１３の外周部のズーム駆動ユニット５０のギヤ列５３の後方位置に重なる状態で配置される。
【００６１】
Ｘ駆動ユニット７０は、Ｘ駆動モータ７１と、該Ｘ駆動モータ７１の出力軸のピニオンに噛合する中間ギヤ７３と、該中間ギヤ７３が固着され、Ｘ方向に延在する送リネジ７４と、送りネジ７４に螺合するナット７５とを具備して構成されている。
【００６２】
送りネジ７４は、Ｘ駆動モータ７１の駆動力によって回転する。ナット７５は、送りネジ７４に対して回転が規制された状態で螺合し、Ｘ枠１６のＵ字状切り欠き部１６ｂに係合する。したがって。Ｘ駆動モータ７１が回転駆動されると送リネジ７４によってナット７５及びＸ枠１６がＸ方向に変位駆動される。
【００６３】
Ｙ駆動ユニット８０は、基台部１４の第二隅部１４ｃの前面側に組み付けられ、固定枠１３の外周部のズームモータ５１の上方位置に配設される。Ｙ駆動ユニット８０は、Ｙ駆動モータ８１と、該Ｙ駆動モータ８１の出力軸のピニオンに噛合する中間ギヤ８３と、該中間ギヤ８３が固着され、Ｙ方向に延在する送リネジ８４と、送りネジ８４に螺合するナット８５とを具備して構成されている。
【００６４】
送りネジ８４は、Ｙ駆動モータ８１の駆動力によって回転する。ナット８５は、送りネジ８４に対して回転が規制された状態で螺合し、Ｙ枠１５のＵ字状切り欠き部１５ｂに係合する。したがって。Ｙ駆動モータ８１が回転駆動されると送リネジ８４によってナット８５及びＹ枠１５がＹ方向に変位駆動される。
【００６５】
なお、本実施形態では、前述したレンズ鏡筒１にて、ズームモータ５１、フォーカスモータ６１、Ｙ駆動モータ８１およびＸ駆動モータ７１の外装色を黒色、または、黒色以外の、例えば、シルバー色とし、固定枠１３および基台部１４の外装色を黒色以外の色、例えば、シルバー色、または、黒色とする。このように構成部材とモータとの外装色を異ならせることによって組み立て工程中の組み付け状態を確認した状態で、例えば、ズームモータ５１、フォーカスモータ６１、Ｙ駆動モータ８１およびＸ駆動モータ７１の各モータが固定枠１３、基台部１４の前述した所定の位置に装着されていることを確認して、基台部１４を固定枠１３に固定することができる。
【００６６】
次に、本実施形態のレンズ鏡筒１において、３群枠７の前面部に固定絞り７ａを固定する構成について詳細に説明する。
【００６７】
第１の部材である固定絞り７ａは、図６、図９及び図１０に示すように、略円板状の部材であって、光軸Ｏを中心とした円形の貫通孔である絞り開口部７ｄが設けられている。また、固定絞り７ａの背面側には、複数の係合爪部１３０、複数の位置決め突部１４０、及び回転止めボス部１５１が後方に突出して設けられている。
【００６８】
複数の係合爪部１３０は、本実施形態では、固定絞り７ａの絞り開口部７ｄの周囲に、光軸Ｏを略中心とした周方向の３箇所に等配されている。複数の係合爪部１３０の後端部は、それぞれ光軸Ｏを略中心として径方向外側に所定の半径Ｒ４まで延出している。
【００６９】
複数の位置決め突部１４０は、固定絞り７ａの絞り開口部７ｄの周囲であって、前述した係合爪部１３０と周方向に重ならない位置に、光軸Ｏを略中心として３箇所に等配されている。複数の位置決め突部１４０の光軸Ｏ側に向く内周面は、光軸Ｏを中心とした所定の半径Ｒ２の第１の円筒形状部を構成する。また、複数の位置決め突部１４０の後方側の面（先端面）は、光軸Ｏに直交し固定絞り７ａから所定の距離だけ後方に離間した同一平面の一部として形成されている。
【００７０】
また、回転止めボス部１５１は、前述した係合爪部１３０及び位置決め突部１４０と周方向に重ならない位置において、固定絞り７ａから径方向外側に延出する腕部１５０の先端部に設けられている。回転止めボス部１５１は、本実施形態では所定の直径の円筒形状を有し、前述した位置決め突部１４０よりも後方側に突出する高さを有する。
【００７１】
第２の部材である３群枠７の前面部は、図８及び図１０に示すように略円形であって、中心部に後方に向かって凹設された凹部１２１が設けられている。凹部１２１は、光軸Ｏ方向から見た場合に前述した固定絞り７ａを内部に収容可能な略円形の内周形状を有する。凹部１２１の底面部には、３群レンズ２３を保持するための保持枠部７ｃが設けられている。また、凹部１２１の底面部の保持枠部７ｃの周囲には、複数の係合孔部１１０、複数の位置決め突部１２２及びボス挿入孔１２０が設けられている。
【００７２】
複数の位置決め突部１２２は、凹部１２１の底面部から前方に突出している。複数の位置決め突部１２２は、光軸Ｏを中心とした周方向の３箇所に等配されている。複数の位置決め突部１２２の径方向外側に向く外周面は、光軸Ｏを中心とした所定の半径Ｒ１の第２の円筒形状部を構成する。
【００７３】
ここで、３群枠７の複数の位置決め突部１２２により構成された半径Ｒ１の第２の円筒形状部の外周面は、固定絞り７ａの複数の位置決め突部１４０により構成された半径Ｒ２の第２の円筒形状部の内周面内に、所定のはめあい公差で嵌入する。これにより、３群枠７に対する、固定絞り７ａの光軸Ｏの径方向の位置決めがなされる。
【００７４】
また、複数の位置決め突部１２２の高さは、固定絞り７ａの複数の位置決め突部１４０の高さよりも低い。したがって、固定絞り７ａの複数の位置決め突部１４０が、凹部１２１の底面部に当接することにより、３群枠７に対する、固定絞り７ａの光軸Ｏ方向後方側への位置決めがなされる。
【００７５】
複数の係合孔部１１０は、固定絞り７ａの複数の係合爪部１３０が内部に挿入された状態で係合する貫通孔である。複数の係合孔部１１０は、それぞれ固定絞り７ａの複数の係合爪部１３０に対応した位置に配設されている。すなわち、複数の係合孔部１１０は、光軸Ｏを略中心とした周方向の３箇所に等配されている。
【００７６】
また、複数の係合孔部１１０は、光軸Ｏ方向から見た場合に、径方向外側の内周面が、光軸Ｏを略中心とした所定の半径Ｒ３の円筒面の一部として形成されている。半径Ｒ３の値は、半径Ｒ４の値よりも小さい。
【００７７】
また、複数の係合孔部１１０は、光軸Ｏ方向から見た場合に、周方向の一方向に向かうにつれて径方向の幅が２段階に変化するように形成されている。具体的には、図８に示すように光軸Ｏ方向前方から見た場合に、複数の係合孔部１１０は、径方向に異なる幅を有する２つの孔部である、第１の係合孔部１１０ａ及び第２の係合孔部１１０ｂが周方向に連接されて構成されている。
【００７８】
第１の係合孔部１１０ａは、光軸Ｏ方向前方から見た場合に、係合孔部１１０の反時計方向側に配設され、所定の径方向幅Ｗ１を有する。第２の係合孔部１１０ｂは、光軸Ｏ方向前方から見た場合に、係合孔部１１０の時計方向側に配設され、幅Ｗ１よりも狭い径方向幅Ｗ２を有する。
【００７９】
ここで前述したように、複数の係合孔部１１０の径方向外側の内周面は、光軸Ｏから略一定の半径Ｒ３であることから、第１の係合孔部１１０ａは、第２の係合孔部１１０ｂよりも径方向内側に入り込む。
【００８０】
また、第１の係合孔部１１０ａの径方向幅Ｗ１の値は、固定絞り７ａの係合爪部１３０の径方向外側に延出した部位を含めた径方向厚さＴ２よりも大きい。また、第２の係合孔部１１０ｂの径方向幅Ｗ２の値は、固定絞り７ａの係合爪部１３０の径方向外側に延出した部位を除いた径方向厚さＴ１よりも大きく、かつ係合爪部１３０の径方向外側に延出した部位を含めた径方向厚さＴ２よりも小さい。
【００８１】
すなわち、図１２に示すように、固定絞り７ａに設けられた係合爪部１３０は、径方向幅がＷ１である第１の係合孔部１１０ａ側において、係合孔部１１０内に挿入可能である。この固定絞り７ａの複数の係合爪部１３０が複数の係合孔部１１０の第１の係合孔部１１０ａ内に挿入された状態において、複数の係合爪部１３０は複数の係合孔部１１０に、いわゆるスナップフィットと呼ばれる形態で係合する。
【００８２】
この係合状態において、凹部１２１の底面部が、固定絞り７ａの複数の位置決め突部１４０と複数の係合爪部１３０とによって光軸Ｏ方向に挟持されることから、３群枠７に対する、固定絞り７ａの光軸Ｏ方向の位置決めがなされる。
【００８３】
そして、複数の係合孔部１１０内に、それぞれ固定絞り７ａの複数の係合爪部１３０を挿入した後に、固定絞り７ａを３群枠７に対して光軸Ｏ方向前方から見て時計方向に回動させると、図１３に示すように、複数の係合爪部１３０は、径方向幅がＷ２である第２の係合孔部１１０ｂ内に移動する。
【００８４】
この図１３及び図１１に示す状態では、固定絞り７ａの複数の係合爪部１３０が複数の係合孔部１１０に挿入された状態で係合している。かつこの状態において、第２の係合孔部１１０ｂの径方向幅Ｗ２が、固定絞り７ａの複数の係合爪部１３０の径方向厚さＴ２よりも小さいことから、複数の係合爪部１３０は、第２の係合孔部１１０ｂの内周面によって、光軸Ｏの径方向に所定のはめあいで挟持される。これにより、複数の係合爪部１３０の係合孔部１１０からの脱落が防止される。
【００８５】
ボス挿入孔１２０は、図１１に示すように、固定絞り７ａの複数の係合爪部１３０が複数の係合孔部１１０の第２の係合孔部１１０ｂ側に挿入され係合した状態において、固定絞り７ａの回転止めボス部１５１が所定のはめあいで嵌入される貫通孔である。
【００８６】
３群枠７のボス挿入孔１２０内に、固定絞り７ａの回転止めボス部１５１が嵌入されることにより、３群枠７に対する、固定絞り７ａの光軸Ｏ周りの周方向の位置決めがなされる。また、この位置決めによって、固定絞り７ａの複数の係合爪部１３０が、複数の係合孔部１１０の第２の係合孔部１１０ｂ内に挿入された状態で保持されることから、固定絞り７ａの３群枠７からの脱落を防止することができる。
【００８７】
以上に説明した本実施形態によれば、接着剤を使用することなく、３群枠７に固定絞り７ａを、素早く所定の精度で位置決めし、かつ失敗無く固着することが可能となる。
【００８８】
なお、本実施形態では、固定絞り７ａを３群枠７に固着する場合に本発明を適用したが、本発明は、レンズを保持するレンズ保持部材を、他の枠部材に固着する場合にも適用可能である。
【００８９】
なお、本発明は、上述した実施形態に限られるものではなく、請求の範囲及び明細書全体から読み取れる発明の要旨或いは思想に反しない範囲で適宜変更可能であり、そのような変更を伴うバリア装置もまた本発明の技術的範囲に含まれるものである。
【産業上の利用可能性】
【００９０】
本発明に係るレンズ鏡筒は、上述の実施形態で説明したデジタルカメラに限らず、撮影機能を備えた電子機器、例えば録音機器、携帯電話、ＰＤＡ、パーソナルコンピューター、ゲーム機、デジタルメディアプレーヤー、テレビ、ＧＰＳ、時計等に備えられたレンズ鏡筒にも適用可能である。
【００９１】
また、本発明に係るレンズ鏡筒は、撮影機能を備えた電子機器に限らず、レンズ交換式カメラ用のレンズ鏡筒にも適用可能であるし、プロジェクタ等の投射型表示装置に備えられたレンズ鏡筒にも適用可能である。また本発明に係るレンズ鏡筒は、望遠鏡や双眼鏡等の他の形態の光学機器にも適用可能である。
【符号の説明】
【００９２】
１    レンズ鏡筒、
３    バリア装置、
４    １群枠、
５    カム枠、
６    ２群枠、
７    ３群枠（第２の部材）、
７ａ    固定絞り（第１の部材）、
７ｃ    保持枠部、
７ｄ    絞り開口部（開口部）、
８    シャッタ・絞りユニット、
９    フロートキー、
１０    移動枠、
１１    回転枠、
１２    ４群枠、
１３    固定枠、
５０    ズーム駆動ユニット、
６０    フォーカス駆動ユニット、
９０    撮像ユニット、
１１０    係合孔部、
１１０ａ    第１の係合孔部、
１１０ｂ    第２の係合孔部、
１２０    ボス挿入孔、
１２１    凹部、
１２２    位置決め突部（第２の円筒形状部）、
１３０    係合爪部、
１４０    位置決め突部（第１の円筒形状部）
１５０    腕部、
１５１    回転止めボス部。
【図１】
2010271493.tif 000003
【図２】
2010271493.tif 000004
【図３】
2010271493.tif 000005
【図４】
2010271493.tif 000006
【図５】
2010271493.tif 000007
【図６】
2010271493.tif 000008
【図７】
2010271493.tif 000009
【図８】
2010271493.tif 000010
【図９】
2010271493.tif 000011
【図１０】
2010271493.tif 000012
【図１１】
2010271493.tif 000013
【図１２】
2010271493.tif 000014
【図１３】
2010271493.tif 000015